(57)【要約】【課題】複写用紙に記入した情報が葉書用紙に確実に複写されるようにするとともに、情報を記入した複写用紙を控えとして保管しやすくすること。【解決手段】複写用紙１２は紙厚の薄い用紙で構成されており、複写紙片６０の情報記入欄６１に情報を記入すると、記入した情報は裏面の複写部６２によって葉書紙片３０の情報複写欄３３に複写される。また、複写用紙１２を葉書用紙１１から剥がすと隠蔽紙片２０の転写接着部２５から補強紙片５０の剥離剤無塗布部５４に強粘着剤が転写される。これにより、複写用紙１２を折りミシン目１５で２つ折りすると補強紙片５０が複写紙片６０に貼り合わされ、厚みが増した控え８０を作成することができる。【選択図】図７
2010023301.tif 000002
【特許請求の範囲】
【請求項１】
葉書用紙と複写用紙が剥離可能に貼り合わされた隠蔽葉書シートであって、
葉書用紙は、切り取り線を介して隠蔽紙片と葉書紙片に区画されているとともに、
複写用紙は、折り線を介して補強紙片と複写紙片に区画されており、
隠蔽紙片には、表面または裏面に隠蔽印刷が施され、裏面に再剥離粘着剤を塗布した弱接着部と、裏面周縁に強粘着剤を塗布した強接着部と、裏面周縁の一部に剥離剤の上に強粘着剤を塗布した転写接着部が設けられ、
葉書紙片には、裏面に情報欄と、強接着部に対応する剥離終了側の周辺にハーフカットが設けられ、
補強紙片には、裏面に剥離剤を塗布した剥離剤塗布部と、裏面周縁に剥離剤を塗布しない剥離剤無塗布部が設けられ、
複写紙片には、裏面に感圧式の複写部が設けられており、
葉書用紙と複写用紙は、隠蔽紙片と補強紙片、及び葉書紙片と複写紙片がそれぞれ裏面同士で貼り合わされている
ことを特徴とする隠蔽葉書シート。
【請求項２】
葉書用紙と複写用紙が剥離可能に貼り合わされた隠蔽葉書シートであって、
葉書用紙は、切り取り線を介して隠蔽紙片と葉書紙片に区画されているとともに、
複写用紙は、折り線を介して補強紙片と複写紙片に区画されており、
隠蔽紙片には、表面または裏面に隠蔽印刷が施され、裏面に再剥離粘着剤を塗布した弱接着部と、裏面周縁の一部に剥離剤の上に強粘着剤を塗布した転写接着部が設けられ、
葉書紙片には、裏面に情報欄が設けられ、
補強紙片には、裏面に剥離剤を塗布した剥離剤塗布部と、裏面周縁に剥離剤を塗布しない剥離剤無塗布部が設けられ、
複写紙片には、裏面に感圧式の複写部が設けられており、
葉書用紙と複写用紙は、隠蔽紙片と補強紙片、及び葉書紙片と複写紙片がそれぞれ裏面同士で貼り合わされている
ことを特徴とする隠蔽葉書シート。
【請求項３】
葉書紙片に折り線を介して封緘紙片が連接され、複写紙片に切り取り線を介して剥離紙片が連接されているとともに、
封緘紙片の裏面に強粘着剤が塗布され、剥離紙片の裏面に剥離剤が塗布されており、
封緘紙片と剥離紙片が裏面同士で貼り合わされている
ことを特徴とする請求項１または２に記載の隠蔽葉書シート。
【請求項４】
葉書紙片の情報欄に筆記性を有する剥離剤が塗布されている
ことを特徴とする請求項１、２、３のいずれか１項に記載の隠蔽葉書シート。
【発明の詳細な説明】
【技術分野】
【０００１】
本発明は、記入した情報を複写する機能を備えるとともに、記入した情報の控えを保管するのに好適な隠蔽葉書シートに関する。
【背景技術】
【０００２】
従来、口座振替申込書やクレジット払い申込書等のように、個人情報を記入して郵送する郵便物が広く利用されている（下記の特許文献１等を参照）。例えば郵便葉書を利用する場合、記入した個人情報を郵送途中で盗み見られないように保護する必要があるため、隠蔽葉書を使用して個人情報を隠蔽した状態で郵送するようにしている。このような隠蔽葉書において、一般には葉書用紙の表面に複写用紙を貼り合わせて利用者の控えを設けてあるが、この控えの保管性を良くするために比較的厚みがある複写用紙を使用している（例えば、裏面にカーボンインキを印刷した連量５５ｋｇの複写用紙で控えを設け、控えは剥離紙としての機能も併せ持つようにしている）。
【０００３】
【特許文献１】特開平１１−１０５４６７号公報
【発明の開示】
【発明が解決しようとする課題】
【０００４】
ところが、上記のような控え付き隠蔽葉書によると、連量５５ｋｇの複写用紙では、複写用紙に記入する筆圧が弱いとその裏にある葉書用紙へのカーボン複写が充分でなく、申込書に複写される文字が薄くなってしまうという問題がある。このような現象はノーカーボンによる複写用紙を使用した場合でも同様に発生する。
【０００５】
そこで、筆圧が弱くても確実に複写できるように紙厚の薄い複写用紙（例えば連量３４ｋｇの複写用紙）で控えを作成することも考えられるが、この場合には紙厚が薄すぎるため保管性が悪くなり、控えとしての機能を果たせなくなってしまう。また、複写用紙が剥離紙としての機能も兼ねていると、紙厚が薄いので複写用紙を剥離した時に強いカールが発生して保管しにくくなり、カールした部分を取り除かないと保管できないので面倒である。さらに、カール部分を取り除く際に、裏面のカーボンインキがむき出しになっているため、カーボンインキが付着して手を汚す原因にもなる。
【０００６】
本発明は、このような問題を解決するためになされたものであり、その目的とするところは、記入した情報を隠蔽して郵送する控え付き隠蔽葉書シートにおいて、複写用紙に記入した情報が葉書用紙に確実に複写されるようにするとともに、情報を記入した複写用紙を控えとして保管しやすくすることにある。
【課題を解決するための手段】
【０００７】
上記の目的を達成するために、本発明は、葉書用紙と複写用紙が剥離可能に貼り合わされた隠蔽葉書シートであって、葉書用紙は、切り取り線を介して隠蔽紙片と葉書紙片に区画されているとともに、複写用紙は、折り線を介して補強紙片と複写紙片に区画されており、隠蔽紙片には、表面または裏面に隠蔽印刷が施され、裏面に再剥離粘着剤を塗布した弱接着部と、裏面周縁に強粘着剤を塗布した強接着部と、裏面周縁の一部に剥離剤の上に強粘着剤を塗布した転写接着部が設けられ、葉書紙片には、裏面に情報欄と、強接着部に対応する剥離終了側の周辺にハーフカットが設けられ、補強紙片には、裏面に剥離剤を塗布した剥離剤塗布部と、裏面周縁に剥離剤を塗布しない剥離剤無塗布部が設けられ、複写紙片には、裏面に感圧式の複写部が設けられており、葉書用紙と複写用紙は、隠蔽紙片と補強紙片、及び葉書紙片と複写紙片がそれぞれ裏面同士で貼り合わされていることを特徴とする。
【０００８】
また、上記の目的を達成するために、本発明は、葉書用紙と複写用紙が剥離可能に貼り合わされた隠蔽葉書シートであって、葉書用紙は、切り取り線を介して隠蔽紙片と葉書紙片に区画されているとともに、複写用紙は、折り線を介して補強紙片と複写紙片に区画されており、隠蔽紙片には、表面または裏面に隠蔽印刷が施され、裏面に再剥離粘着剤を塗布した弱接着部と、裏面周縁の一部に剥離剤の上に強粘着剤を塗布した転写接着部が設けられ、葉書紙片には、裏面に情報欄が設けられ、補強紙片には、裏面に剥離剤を塗布した剥離剤塗布部と、裏面周縁に剥離剤を塗布しない剥離剤無塗布部が設けられ、複写紙片には、裏面に感圧式の複写部が設けられており、葉書用紙と複写用紙は、隠蔽紙片と補強紙片、及び葉書紙片と複写紙片がそれぞれ裏面同士で貼り合わされていることを特徴とする。
【０００９】
本発明の隠蔽葉書シートにおいて、葉書紙片に折り線を介して封緘紙片が連接され、複写紙片に切り取り線を介して剥離紙片が連接されているとともに、封緘紙片の裏面に強粘着剤が塗布され、剥離紙片の裏面に剥離剤が塗布されており、封緘紙片と剥離紙片が裏面同士で貼り合わされていても良い。また、葉書紙片の情報欄に筆記性を有する剥離剤が塗布されている構成を採用することもできる。
【００１０】
本発明の隠蔽葉書シートは、以下のようにして使用する。まず、複写用紙の複写紙片に情報を記入すると、記入した情報は複写紙片の複写部によって葉書紙片の情報欄に複写される。次に、複写用紙の切り取り線を切断して剥離紙片を切り離し、複写用紙を葉書用紙から剥がす。そして、剥がした複写用紙を折り線で２つ折りすると、隠蔽紙片の転写接着部から補強紙片の剥離剤無塗布部に強粘着剤が転写され、この強粘着剤によって複写紙片に補強紙片が貼り合わされて厚みが増し、複写紙片に記入した情報の控えとして保管することができる。さらに、葉書用紙を切り取り線で２つ折りすると、隠蔽紙片が接着部によって葉書紙片に貼り合わされる。これにより、隠蔽紙片の隠蔽部で葉書紙片の情報欄が隠蔽され、隠蔽葉書として郵送することが可能になる。
【発明の効果】
【００１１】
上記の構成から明らかなように、本発明の隠蔽葉書シートによれば、複写用紙に紙厚の薄い用紙を使用することができ、情報を記入する際には、複写用紙が紙厚の薄い用紙１枚分の厚さであるため、筆圧が弱くても葉書用紙に確実に複写することができるという効果がある。また、情報を記入した複写用紙を控えとして保管する際には、用紙を重ねて貼り合わせることで用紙２枚分に相当する厚さになるので、用紙の腰が強くなり、複写用紙を剥がす時に発生したカールを無くして保管に適した控えを作成することができるという効果がある。
【発明を実施するための最良の形態】
【００１２】
以下、本発明の実施の形態について、図面を参照しながら説明する。
【００１３】
１．隠蔽葉書シートの構成
図１は本発明の隠蔽葉書シートの外観を示す図である。図１において、本実施形態の隠蔽葉書シート１０は口座振替申込書に適用されており、公共料金の支払いを金融機関の指定口座からの自動引き落としに変更するための申込書として使用される。この口座振替申込書は、葉書用紙１１と複写用紙１２の２枚の用紙を剥離可能に貼り合わせて構成されており、１枚目の複写用紙１２に記入した必要事項を２枚目の葉書用紙１１に複写して隠蔽葉書として郵送する機能と、必要事項を記入した複写用紙１２を控えとして保管する機能を備えている。
【００１４】
（１）葉書用紙
図２は葉書用紙の構成を示す図である。図２において、葉書用紙１１は、例えば上質紙やコート紙、アート紙等の各種の用紙を使用することができ、本実施形態では少なくとも１枚の用紙で葉書本体の規定連量２ｇ以上を満たすように連量１１０ｋｇの上質紙で構成されている。葉書用紙１１にはカットミシン加工を施した切り取りミシン目１３が形成されており、この切り取りミシン目１３を介して添付物に相当する隠蔽紙片２０と葉書本体に相当する葉書紙片３０とに区画されている。切り取りミシン目１３の一端には開封時に隠蔽紙片２０をつまみやすくするためのコーナーカット１４が形成されている。また、葉書紙片３０の外側の一辺には、隠蔽葉書を作成する際に折り返して封緘するための封緘紙片４０が連接されている。
【００１５】
（１．１）隠蔽紙片
隠蔽紙片２０の表面には、葉書紙片３０の情報の透過を防止するために、例えば黒色や銀色、紺色等の濃色系の印刷インキで全面印刷や地紋等の部分印刷を施した隠蔽層２１が設けられている。この隠蔽層２１は隠蔽紙片２０の表面だけでなく、隠蔽紙片２０の裏面、あるいはその両面に設けられていても良い。隠蔽紙片２０の裏面中央には、粘着剤を塗布した弱接着部２２が設けられている。この弱接着部２２は、本実施形態ではアクリル酸エステル共重合体からなる再剥離粘着糊を塗布した粘着層２３で構成されており、葉書紙片３０に接着した後に手で容易に剥がせる程度の弱い接着力に設定されている。
また、隠蔽紙片２０の裏面周縁には、強接着部２４と転写接着部２５の２種類の接着部が設けられている。強接着部２４は葉書用紙１１の上に強粘着剤を直接塗布して粘着層２６を設けたものであり、本実施形態では隠蔽紙片２０の上縁及び下縁の中央部を除いた部分にアクリル系エマルジョン型粘着剤が塗布されており、接着後に剥がそうとすると紙破壊が起こる程度の接着力を有している。それに対して、転写接着部２５は葉書用紙１１から複写用紙１２へと粘着剤が転写されるようにしたものである。本実施形態では、図２（Ｂ）のように隠蔽紙片２０の左縁部と上縁及び下縁の中央部に沿ってシリコーン系剥離剤を塗布した剥離層２７が形成され、その上から剥離層２７よりもわずかに狭い幅で強接着部２４と同じ強粘着剤を塗布した粘着層２８が設けられている。
【００１６】
（１．２）葉書紙片
葉書紙片３０は、葉書本体の規定サイズに適合する大きさに設定され、隠蔽紙片２０よりもわずかに広い幅になっている。葉書紙片３０の表面は宛名面であり、「郵便はがき」なる郵便表示部３１や郵便番号記入欄３２が印刷され、また受取人の宛先が予め印字されている。葉書紙片３０の裏面は通信面であり、中央に口座振替の申し込みに必要な事項を複写記入する情報複写欄３３が印刷されており、情報複写欄３３の上に剥離剤を塗布した剥離層３４が設けられている。剥離層３４を構成する剥離剤は、その上から情報複写欄３３への複写記入が可能となるように筆記性を備えたものとされ、例えばシリコーンを含有しないメジウム（体質顔料のみをビヒクルに分散した無色インキ）やニス（体質顔料を含まない透明無色のインキ）が使用される。
また、葉書紙片３０の裏面周縁には、開封時に紙破壊が情報複写欄３３に及ばないようにするためのハーフカット３５が設けられている。このハーフカット３５は、剥離方向を考慮すると少なくとも強接着部２４に対応する剥離終了側の周辺に設けられている必要があり、本実施形態では強接着部２４の粘着層２６を囲むように一回り大きな輪郭を有し、かつ葉書紙片３０を貫通しない程度の深さで形成されている。なお、図３に示すように、強接着部２４に厚盛りし易いホットメルト系粘着剤を使用する場合には粘着層２６を囲むようにハーフカット３５を形成すれば良いが、厚盛りし難い水系粘着剤を使用する場合にはハーフカット３５の剥離開始側のラインが粘着層２６を重なるように輪郭を形成する必要がある。
【００１７】
（１．３）封緘紙片
葉書紙片３０と封緘紙片４０の境界は、折り返し時の作業性を考慮して予めプレスミシン加工を施した折りミシン目４１で区画されている。また、封緘紙片４０の裏面には、縁部に沿って所定幅で強粘着剤を塗布した粘着層４２が設けられている。この粘着層４２の強粘着剤には隠蔽紙片２０の強粘着剤と同じものを使用することができる。
【００１８】
（２）複写用紙
図３は複写用紙の構成を示す図である。図４において、複写用紙１２は、例えば感圧紙や裏カーボン紙等の各種の複写機能を備えた用紙を使用することができ、本実施形態では連量３４ｋｇの用紙で構成されている。複写用紙１２にはプレスミシン加工を施した折りミシン目１５が形成されており、この折りミシン目１５を介して厚みを補強する補強紙片５０と複写機能を有する複写紙片６０とに区画されている。また、複写用紙１２の外側の一辺には、封緘紙片４０の粘着層４２を保護するための剥離紙片７０が連接されている。
【００１９】
（２．１）補強紙片
補強紙片５０の表面には、口座振替申込書への記入の仕方を説明する記入例５１や説明文５２が印刷されており、利用者がこれらを見ながら必要事項の記入を行えるようになっている。一方、補強紙片５０の裏面には、葉書用紙１１の弱接着部２２から剥がしやすくするために、中央部のほぼ全域に剥離剤を塗布した剥離剤塗布部５３が設けられている。この剥離剤塗布部５３を構成する剥離剤は、隠蔽紙片２０の剥離層２７と同じくシリコーン系剥離剤を使用することができる。
また、補強紙片５０の裏面周縁には、剥離剤を塗布しない剥離剤無塗布部５４が設けられている。この剥離剤無塗布部５４は、隠蔽紙片２０の転写接着部２５に対応する位置、すなわち図４（Ｂ）のように補強紙片５０の右縁部と上縁及び下縁の中央部に沿って設けられており、剥がした時に対向する転写接着部２５の粘着層２８が転写されるようになっている。
【００２０】
（２．２）複写紙片
複写紙片６０は、葉書紙片３０と同一サイズに設定され、補強紙片５０よりもわずかに広い幅になっている。複写紙片６０の表面は口座振替の申し込みに必要な事項を直接記入する面になっており、葉書紙片３０の情報複写欄３３と重なる位置に情報記入欄６１が印刷されている。また、複写紙片６０の裏面には、情報記入欄６１に対応する位置に感圧式の複写部６２が設けられている。この複写部６２は、黒色のカーボンインキをスポット印刷することにより構成されたカーボン複写式であり、表面の情報記入欄６１に筆圧が加わると、裏面の複写部６２のカーボンインキが剥離して葉書紙片３０の情報複写欄３３に付着し、情報記入欄６１に記入された必要事項が情報複写欄３３に複写される。なお、このカーボン複写式の複写部６２に代えて、複写紙片６０の裏面に発色剤含有のマイクロカプセルを塗布した発色剤層と、葉書紙片３０の表面に発色剤と反応する顕色剤を塗布した顕色剤層とからなるノーカーボン複写式の複写部を採用しても良い。
【００２１】
（２．３）剥離紙片
複写紙片６０と剥離紙片７０の境界は、上端部のみがマイクロミシン目（カット部とタイ部の長さがそれぞれ１．０ｍｍ未満に設定されたミシン目）７１で繋ぎ止められており、残りの部分が完全カットされたスリット７２で区画されている。また、剥離紙片７０の裏面には、縁部に沿って所定幅で剥離剤を塗布した剥離層７３が設けられている。この剥離層７３の剥離剤は補強紙片５０の剥離剤と同じものを使用することができる。なお、境界部のスリット７２は、切り取りミシン目に代えても良い。
【００２２】
２．隠蔽葉書シートの使用方法
本実施形態の口座振替申込書は以上のように構成されており、以下その使用方法を説明する。利用者が公共料金の支払いを自動引き落としに変更する場合、この口座振替申込書を次の手順で使用する。
【００２３】
（１）必要事項を記入する。
図５に示すように、利用者はまず複写用紙１２に印刷された記入例５１や説明文５２を見ながら、情報記入欄６１に申込者の住所、氏名、連絡先や、振替口座の金融機関名、口座名義人、口座番号等の必要事項を記入する。
【００２４】
（２）複写用紙を剥がす。
図６に示すように、必要事項の記入がすべて終わったら、葉書用紙１１から複写用紙１２を剥がす。ここで、複写用紙１２には複写紙片６０と剥離紙片７０の境界にスリット７２が設けられており、剥離紙片７０を押さえて複写用紙１２を反らせると、複写紙片６０が浮き上がってその端部をつまむことができる。そして、つまんだ複写紙片６０を引き剥がすと、スリット７２の上のマイクロミシン目７１が切断され、複写用紙１２を葉書用紙１１から剥がし取ることができる。
【００２５】
（３）控えを作成する。
図７に示すように、葉書用紙１１から剥がした複写用紙１２を見ると、補強紙片５０の裏面に粘着層２８が転写されている。これは、補強紙片５０の周縁部には剥離剤無塗布部５４が設けられており、この剥離剤無塗布部５４に付着した転写接着部２５の粘着層２８が剥離層２７から剥がれて転移したものである。これにより、複写用紙１２を折りミシン目１５で谷折りして折り畳むと、補強紙片５０に転写された粘着層２８によって補強紙片５０が複写紙片６０に貼り合わされる。このように複写紙片６０に補強紙片５０を貼り合わせることによって、複写用紙１２は連量３４ｋｇの用紙２枚分の厚み（連量６８ｋｇ相当）になるので、用紙の腰が強くなり、剥がした時に発生したカールを抑えて保管に適した控え８０を作成することができる。なお、複写紙片６０の裏面にある複写部６２は貼り合わせた内側に隠れるので、複写部６２のカーボンインキが付着して手を汚すこともなくなる。
【００２６】
（４）隠蔽葉書を作成して郵送する。
図８に示すように、複写用紙１２を剥がした葉書用紙１１を見ると、葉書紙片３０の情報複写欄３３に必要事項が複写されている。これは、複写用紙１２の情報記入欄６１に必要事項を記入した時に、その筆圧によって裏面の複写部６２のカーボンインキが剥離して情報複写欄３３に付着するからである。また、複写用紙１２は連量３４ｋｇの薄い用紙であるので、筆圧が弱くても確実に複写することができる。そして、葉書用紙１１の中央部にある切り取りミシン目１３を谷折りして折り畳むと、隠蔽紙片２０と葉書紙片３０は、隠蔽紙片２０の中央に設けた弱接着部２２と上縁及び下縁に設けた強接着部２４によって貼り合わされる。また、封緘紙片４０から剥離紙片７０を剥がし取り、折りミシン目４１で封緘紙片４０を折り返すと、裏面の粘着層４２によって封緘紙片４０が隠蔽紙片２０に接着して封緘される。これにより、情報複写欄３３の個人情報が隠蔽紙片２０で覆われた隠蔽葉書９０が作成され、個人情報を保護した状態で郵送することができる。
【００２７】
（５）隠蔽葉書を開封する。
図９に示すように、郵送された隠蔽葉書９０を受け取った機関は、隠蔽葉書９０を開封する。隠蔽紙片２０の端部にはコーナーカット１４が設けられており、コーナーカット１４をつまんで引き剥がすと、これに繋がった切り取りミシン目１３が切断され、隠蔽紙片２０が葉書紙片３０から剥がれて開封される。ここで、隠蔽紙片２０の粘着層２６は葉書紙片３０の紙面に直に強接着されているが、開封時に葉書紙片３０が破れてもその周りを囲んでいるハーフカット３５で止まるので、情報複写欄３３を破損することはない。また、情報複写欄３３の表面には剥離層３４が設けられていて、隠蔽紙片２０の弱接着部２２との接着力が弱められているので、開封する時に隠蔽紙片２０を軽い力で剥がすことができる。このように隠蔽紙片２０を開封することにより、隠蔽された葉書紙片３０の紙面が現れて、情報複写欄３３に複写記入された必要事項を確認することができる。
【００２８】
３．変形例
以上説明した通り、本実施形態の口座振替申込書によれば、利用者が複写用紙１２に記入した必要事項を葉書用紙１１に複写して隠蔽葉書９０として郵送することができるとともに、必要事項が記入された複写用紙１２を利用者の控え８０として保管することができるが、これに代えて次のような構成によっても同じ効果が得られる。
【００２９】
図１０に示す隠蔽葉書シート１０は、葉書用紙１１の構成が上述した実施形態のものと異なっており、この葉書用紙１１では、隠蔽紙片２０の裏面の上縁及び下縁に沿って設けられていた強接着部２４に代えて、粘着剤を塗布した弱接着部２２が設けられている。弱接着部２２を構成する粘着剤は、中央に設けられた弱接着部２２と同じように再剥離粘着剤を塗布したものである。また、葉書紙片３０において、裏面中央に限定して設けられていた剥離層３４の面積を広げ、葉書紙片３０の裏面全体に剥離層３４が設けられている。葉書紙片３０にはハーフカット３５が設けられていない。その他の構成は上述した実施形態と同じである。このような構造によると、隠蔽葉書９０を開封する際に葉書用紙１１に紙破壊が起こらず、隠蔽紙片２０をきれいに剥がすことができるという利点がある。
【００３０】
また、図１１に示す隠蔽葉書シート１０のように、葉書用紙１１において、強接着部２４と転写接着部２５を交互に点在させた構成にしても良い。このような構造によると、複写用紙１２を貼り合わせた控え８０と、葉書用紙１１を貼り合わせた隠蔽葉書９０について、それぞれ上下の縁部に浮きが発生せずにきれいに貼り合わせることができるという利点がある。
【図面の簡単な説明】
【００３１】
【図１】本発明の隠蔽葉書シートの全体構成を示す外観図である。
【図２】隠蔽葉書シートにおける葉書用紙の構成を示すもので、（Ａ）は葉書用紙を表側から見た平面図、（Ｂ）は葉書用紙を裏側から見た平面図である。
【図３】葉書用紙におけるハーフカットの形成位置を示す拡大図である。
【図４】隠蔽葉書シートにおける複写用紙の構成を示すもので、（Ａ）は複写用紙を表側から見た平面図、（Ｂ）は複写用紙を裏側から見た平面図である。
【図５】隠蔽葉書シートについて、複写用紙の情報記入欄に必要事項を記入した時の状態を示す説明図である。
【図６】隠蔽葉書シートから複写用紙を剥がす時の状態を示す説明図である。
【図７】複写用紙で控えを作成する時の状態を示す説明図である。
【図８】葉書用紙で隠蔽葉書を作成する時の状態を示す説明図である。
【図９】隠蔽葉書を開封する時の状態を示す説明図である。
【図１０】本発明の隠蔽葉書シートの変形例を示すもので、葉書用紙を裏側から見た平面図である。
【図１１】本発明の隠蔽葉書シートの他の変形例を示すもので、葉書用紙を裏側から見た平面図である。
【符号の説明】
【００３２】
１０  隠蔽葉書シート
１１  葉書用紙
１２  複写用紙
１３  切り取りミシン目
１４  コーナーカット
１５  折りミシン目
２０  隠蔽紙片
２１  隠蔽層
２２  弱接着部
２３  粘着層
２４  強接着部
２５  転写接着部
２６  粘着層
２７  剥離層
２８  粘着層
３０  葉書紙片
３１  郵便表示部
３２  郵便番号記入欄
３３  情報複写欄
３４  剥離層
３５  ハーフカット
４０  封緘紙片
４１  折りミシン目
４２  粘着層
５０  補強紙片
５１  記入例
５２  説明文
５３  剥離剤塗布部
５４  剥離剤無塗布部
６０  複写紙片
６１  情報記入欄
６２  複写部
７０  剥離紙片
７１  マイクロミシン目
７２  スリット
７３  剥離層
８０  控え
９０  隠蔽葉書
【図１】
2010023301.tif 000003
【図２】
2010023301.tif 000004
【図３】
2010023301.tif 000005
【図４】
2010023301.tif 000006
【図５】
2010023301.tif 000007
【図６】
2010023301.tif 000008
【図７】
2010023301.tif 000009
【図８】
2010023301.tif 000010
【図９】
2010023301.tif 000011
【図１０】
2010023301.tif 000012
【図１１】
2010023301.tif 000013